(57)【要約】  地表の下の水の流れを管理するための構造物の中で使用されるモジュールおよびそのようなモジュールの構造物が開示される。モジュールは支持部とデッキ部とを含み、支持部は間隔を空けて配置され、デッキ部の主要部と共に水路を形成する。デッキ部はまた、主要部から延在する少なくとも１つの部分を含む。【選択図】      図１
2013503991.tif 000002
【特許請求の範囲】
【請求項１】
地表の下の水の流れを管理するための構造物の中で使用されるモジュールであって、前記モジュールは、
少なくとも２つの支持部と、
前記少なくとも２つの支持部の上端に位置する主要部と前記主要部から延在する少なくとも1つの部分とを有するデッキ部と、を備え、
前記支持部は間隔を空けて配置されて前記主要部と共に内部水路を規定し、
前記支持部の少なくとも1つは、前記デッキ部の端部から間隔を空けて配置された少なくとも1つの脚部を有することを特徴とするモジュール。
【請求項２】
前記支持部の少なくとも1つは側壁であることを特徴とする請求項１に記載のモジュール。
【請求項３】
前記主要部から延在する前記少なくとも1つの部分はカンチレバーとされていることを特徴とする請求項１に記載のモジュール。
【請求項４】
前記デッキ部は前記少なくとも２つの支持部と一体的に形成されることを特徴とする請求項１に記載のモジュール。
【請求項５】
前記デッキ部はさらに、前記主要部から延在する前記少なくとも１つの部分と反対側に前記主要部から延在する第２の部分を備えることを特徴とする請求項１に記載のモジュール。
【請求項６】
前記主要部から延在する前記第２の部分はカンチレバーとされていることを特徴とする請求項１に記載のモジュール。
【請求項７】
前記少なくとも２つの支持部は前記デッキ部の端部から間隔を空けて配置された少なくとも１つの脚部を有することを特徴とする請求項１に記載のモジュール。
【請求項８】
前記支持部は各々、前記デッキ部の端部から間隔を空けて配置された２つの脚部を有し、各支持部の前記２つの脚部は間隔を空けて配置されてその間に支持水路を規定し、前記各支持水路は前記内部水路と流体が流通できるように連なっていることを特徴とする請求項７に記載のモジュール。
【請求項９】
各支持水路はその中に水が存在する場合、比較的無制限な水の流れを許容するために、支持部の底面から上方に延在することを特徴とする請求項８に記載のモジュール。
【請求項１０】
前記少なくとも２つの支持部の底面の間に延在する不浸透性の床をさらに含むことを特徴とする請求項１に記載のモジュール。
【請求項１１】
前記少なくとも２つの支持部は前記デッキ部の端部から間隔を空けて配置されることを特徴とする請求項１に記載のモジュール。
【請求項１２】
前記主要部から延在する前記少なくとも１つの部分は、前記支持部の少なくとも１つから延在する少なくとも１つのガセットによって支持されることを特徴とする請求項１に記載のモジュール。
【請求項１３】
前記主要部から延在する前記第２の部分は、別の支持部から延在する少なくとも１つのガセットによって支持されることを特徴とする請求項５に記載のモジュール。
【請求項１４】
前記支持部の少なくとも１つはコンクリートパッドの上で支持されることを特徴とする請求項１に記載のモジュール。
【請求項１５】
地表の下の水の流れを管理するための構造物であって、
前記構造物は複数のモジュールを備え、
各モジュールはデッキ部を有し、各デッキ部は別のモジュールの少なくとも１つの他のデッキ部に隣接して配置され、
各モジュールはさらに少なくとも２つの支持部を備え、前記少なくとも２つの支持部は間隔を空けて配置されてデッキ部と共に内部水路を形成し、
前記モジュールの少なくとも１つのデッキ部は、前記内部水路を越えて延在する少なくとも１つの部分を含むことを特徴とする構造物。
【請求項１６】
前記複数のモジュールは不浸透性の床の上で支持されることを特徴とする請求項１５に記載の構造物。
【請求項１７】
少なくとも１つの前記モジュールの前記デッキ部は、前記モジュールの前記支持部と一体的に形成されることを特徴とする請求項１５に記載の構造物。
【請求項１８】
少なくとも１つの前記モジュールの前記デッキ部は、前記内部水路を越えて延在する前記少なくとも１つの部分と反対側に前記内部水路を越えて延在する第２の部分を備えることを特徴とする請求項１５に記載の構造物。
【請求項１９】
少なくとも１つの前記モジュールの１つの支持部は、前記デッキ部の端部から間隔を空けて配置される少なくとも１つの脚部を含むことを特徴とする請求項１５に記載の構造物。
【請求項２０】
少なくとも１つの前記モジュールの少なくとも２つの支持部は各々、前記デッキ部の端部から間隔を空けて配置された少なくとも２つの脚部を有し、各支持部に接する前記脚部は間隔を空けて配置されてその間に支持水路を規定し、前記各支持水路は前記内部水路と流体が流通できるように連なることを特徴とする請求項１５に記載の構造物。
【請求項２１】
少なくとも１つの前記支持水路は、その中に水が存在する場合、比較的無制限な水の流れを可能にするために、支持部の底面から上方に延在することを特徴とする請求項２０に記載の構造物。
【請求項２２】
前記複数のモジュールの前記支持部の少なくとも１つはさらに一体型フーチングを備えることを特徴とする請求項１５に記載の構造物。
【請求項２３】
前記一体型フーチングは隣接するモジュールの少なくとも１つの支持部の下に位置することを特徴とする請求項２２に記載の構造物。
【請求項２４】
地表の下の水の流れを管理するための構造物であって、前記構造物は少なくとも１つの第１のモジュールと複数の側面モジュールとを備え、
前記第１のモジュールは、
少なくとも２つの支持部と、
前記少なくとも２つの支持部の上端に位置する主要部を含むデッキ部とを備え、
前記支持部は間隔を空けて配置されて前記主要部と共に内部水路を規定し、
前記デッキ部はさらに前記内部水路を越えて延在する１つの部分を備え、
前記支持部の少なくとも１つは前記デッキ部の端部から間隔を空けて配置された少なくとも２つの脚部を有し、
前記少なくとも２つの脚部は間隔を空けて配置されてその間に支持水路を規定し、
前記複数の側面モジュールの各側面モジュールは、
デッキ部と、
前記デッキ部の下に配置される少なくとも２つの支持部とを備え、
前記支持部は間隔を空けて配置されて前記デッキ部と共に内部水路を規定し、
前記第１のモジュールおよび側面モジュールの各デッキ部は、前記複数の側面モジュールの１つあるいは前記少なくとも１つの第１のモジュールのどちらか一方の少なくとも１つの他のデッキ部に隣接して配置されることを特徴とする構造物。
【請求項２５】
各モジュールは一体的に形成されることを特徴とする請求項２４に記載の構造物。
【請求項２６】
前記複数の側面モジュールの少なくとも１つは、前記モジュールの前記内部水路が１つの端部で閉鎖されるように前記デッキ部から延在する少なくとも１つの端壁を含むことを特徴とする請求項２４に記載の構造物。
【請求項２７】
前記複数の側面モジュールの前記少なくとも１つの前記支持部の少なくとも１つは側壁であることを特徴とする請求項２４に記載の構造物。
【請求項２８】
前記少なくとも１つの第１のモジュールおよび前記複数の側面モジュールは不浸透性の床の上で支持されることを特徴とする請求項２４に記載の構造物。
【請求項２９】
前記少なくとも１つの第１のモジュールの前記デッキ部はさらに前記主要部から延在する前記少なくとも１つの部分と反対側に前記主要部から延在する第２の部分を備えることを特徴とする請求項２４に記載の構造物。
【請求項３０】
地表の下の水の流れを管理するための構造物であって、前記構造物は少なくとも１つの第１のモジュールと複数の側面モジュールとを備え、
前記少なくとも１つの第１のモジュールは、
主要部と第１および第２カンチレバー部とを有するデッキ部と、
前記主要部の下に配置される少なくとも２つの支持部とを備え、
前記支持部は間隔を空けて配置されて前記デッキ部と共に内部水路を規定し、
前記複数の側面モジュールの各側面モジュールは、
デッキ部と、
前記デッキ部の下に配置される少なくとも２つの支持部とを備え、
前記支持部は間隔を空けて配置されて前記デッキ部と共に内部水路を規定し、
前記第１のモジュールおよび側面モジュールの各デッキ部は前記複数の側面モジュールの１つあるいは前記少なくとも１つの第１のモジュールのどちらか一方の少なくとも１つの他のデッキ部に隣接して配置され、
前記少なくとも１つの第１のモジュールの前記支持部の第１の支持部および前記カンチレバー部の第１のカンチレバー部は隣接するモジュールの支持部と共に外部水路を規定し、前記少なくとも１つの第１のモジュールの第２の支持部および第２のカンチレバー部は隣接するモジュールの支持部と共に別の外部水路を規定し、前記外部水路は前記少なくとも１つの第１のモジュールの内部水路と流体が流通できるように連なることを特徴とする構造物。
【請求項３１】
各モジュールは一体的に形成されることを特徴とする請求項３０に記載の構造物。
【請求項３２】
前記複数の側面モジュールの少なくとも１つは、前記モジュールの前記内部水路が１つの端部で閉鎖されるように前記デッキ部から延在する少なくとも１つの端壁を含むことを特徴とする請求項３０に記載の構造物。
【請求項３３】
前記複数の側面モジュールの前記少なくとも１つの前記支持部の少なくとも１つは側壁であることを特徴とする請求項３０に記載の構造物。
【請求項３４】
前記少なくとも１つの第１のモジュールおよび前記複数の側面モジュールは不浸透性の床の上で支持されることを特徴とする請求項３０に記載の構造物。
【請求項３５】
前記少なくとも１つの第１のモジュールの前記デッキ部はさらに、前記主要部から延在する前記少なくとも１つの部分と反対側に前記主要部から延在する第２の部分を備えることを特徴とする請求項３０に記載の構造物。
【請求項３６】
前記複数のモジュールの前記支持部の少なくとも１つはさらに、一体型フーチングを備えることを特徴とする請求項３０に記載の構造物。
【請求項３７】
前記一体型フーチングは隣接するモジュールの少なくとも１つの支持部の下に位置することを特徴とする請求項３６に記載の構造物。
【請求項３８】
複数のモジュールを備える地表の下の水の流れを管理するための構造物であって、前記モジュールの少なくともいくつかは、
ほぼ水平のデッキと、
下垂するほぼ垂直の支持部とを備え、前記下垂するほぼ垂直の支持部の少なくとも１つは下垂している前記デッキの外側の縦方向の端部から水平に離れており、
前記支持部は間隔を空けて配置され、
前記支持部は前記主要部と共に内部水路を規定することを特徴とする構造物。
【発明の詳細な説明】
【技術分野】
【０００１】
関連特許の相互参照
この出願は、米国意匠出願番号第２９／３３３，２４８号（２００９年３月５日出願）および米国特許出願番号１２／５５３，７３２号（２００９年９月３日出願）の一部継続出願であり、参照用として本書に完全に組み込まれる。
本開示は一般に、流体の流れの、より詳細には、雨水等の流体の滞留または貯留の管理に関する。水滞留および貯留システムは、所定の場所において流出する水を調整することによって、水を迂回させまたは貯留し、地表に水が貯まることを防ぎ、下流の洪水をなくすまたは減らす。
【０００２】
本開示は、モジュールの構造、製造、および使用法に関する。モジュールは、好ましくはプレキャストコンクリートを使用して製造され、縦方向および横方向に整列された構成で設置され、水の流れ、水の滞留および／または貯留を管理するための地下水路を有するシステムを形成する。
【背景技術】
【０００３】
地下水滞留または貯留システムは、建築用地が、覆いのない溜池、窪地、または池に適応できない場合に活用される。地下システムは、溜池、窪地、または池と比べると、貴重な表面積を使用しない。地下システムはまた、蚊の繁殖を助長する覆いのない淀んだ水を持たない等の理由により、他のシステムよりも公害が少ない。地下システムはまた、他のいくつかのシステムに一般的に付随する、藻、雑草の生長等の景観問題も避けることができる。従って、水を効果的に管理するための地下システムを用いることは有益である。
【０００４】
場所と適用に応じて、地下システムはしばしば、亀裂、倒壊または他の構造的破損をおこしやすくなることなく、上から加えられる交通負荷および土圧に耐えられなければならない。実際、システムの周囲の土の重量に加えて、実質的に地表に加えられるどのような予測可能な負荷にも対応できる地下システムを提供することは有益である。そのようなシステムはまた好ましくは、システムの部品の輸送、取扱い、設置の容易さと同様に、費用、流体保持容積および使用される材料の重量の点で比較的効率的な方法で建設される。
【０００５】
モジュラ地下システムは、ストームトラップＬＬＣの米国特許第６，９９１，４０２号；７，１６０，０５８号および７，３４４，３３５号（“バークハート特許”）に開示されており、各々は参照用として本書に完全に組み込まれる。
【発明の概要】
【発明が解決しようとする課題】
【０００６】
現在の地下システムの１つの欠点は、公共設備および他の埋設されたコンジット等、既存のまたは計画中の地下設備に対応しなければならいということである。同時に、地下水滞留または貯留システムは、地表から別の場所へ水を迂回させるのに効果的でなければならない。そこで、想定する予定地の形状において多用途性の高いモジュラ地下構造物を提供することは有益である。
【０００７】
現在の地下システムの別の欠点は、システム全体にわたって比較的無制限な水の流れを実現することができないことが多いことである。代わりに、内部全体にわたって比較的無制限な流れを可能にできるシステムを提供することが望ましい。
【０００８】
様々な形態の地下水滞留および／または貯留構造が提案されまたは製造されている。そのような構造は、一般的にコンクリート製で、大きいスパンを実現しようとするため、非常に厚い部品が要求される。したがって、そのような構造は非常に大型であり、材料の使用が非効率的で、輸送および取扱いがより困難になり、結果的に費用が高額になる。パイプ、ボックスカルバート、橋カルバート等の他の地下水輸送構造は、様々な材料で製造され、特定の用途のために実現または建設されている。しかし、そのような他の地下構造は他の適用のために設計されているか、あるいは、ここで開示されるモジュラシステムの必要な特徴および上記の望ましい利点を提供できない。
【課題を解決するための手段】
【０００９】
一例において、地表の下の水の流れを管理するための構造物の中で使用されるモジュールが開示される。モジュールは、少なくとも２つの支持部と、少なくとも２つの支持部の上端に位置する主要部と、主要部から延在する少なくとも1つの部分とを有するデッキ部とを備える。支持部は間隔を空けて配置されて主要部と共に内部水路を規定する。支持部の少なくとも1つはデッキ部の端部から間隔を空けて配置された少なくとも1つの脚部を有する。
【００１０】
別の例において、地表の下の水の流れを管理するための構造物が開示される。構造物は、各モジュールがデッキ部を有し、各デッキ部は別のモジュールの少なくとも１つの他のデッキ部に隣接して配置される複数のモジュールを含む。各モジュールはさらに、間隔を空けて配置されてデッキ部と共に内部水路を形成する少なくとも２つの支持部を備える。モジュールの少なくとも１つのデッキ部はまた、内部水路を越えて延在する少なくとも１つの部分を含む。
【００１１】
少なくとも１つの第１のモジュールを有する、地表の下の水の流れを管理するための構造物の別の例が開示される。少なくとも１つの第１のモジュールは、少なくとも２つの支持部と、少なくとも２つの支持部の上端に位置する主要部を含むデッキ部とを含み、少なくとも２つの支持部は間隔を空けて配置されて主要部と共に内部水路を規定する。デッキ部はさらに内部水路を越えて延在する１つの部分を備え、支持部の少なくとも１つはデッキ部の端部から間隔を空けて配置された少なくとも２つの脚部を有する。少なくとも２つの脚部は間隔を空けて配置されてその間に支持水路を規定する。この構造物の例はさらに、複数の側面モジュールを含み、各側面モジュールは、デッキ部と、デッキ部の下に配置される少なくとも２つの支持部とを含む。支持部は間隔を空けて配置されてデッキ部と共に内部水路を規定する。この構造物の例の中では、第１のモジュールおよび側面モジュールの各デッキ部は、複数の側面モジュールの１つあるいは少なくとも１つの第１のモジュールのどちらか一方の少なくとも１つの他のデッキ部に隣接して配置される。
【００１２】
地表の下の水の流れを管理するための構造物のさらなる例が開示される。構造物は、主要部と第１および第２カンチレバー部とを有するデッキ部と、主要部の下に配置される少なくとも２つの支持部とを含む少なくとも１つの第１のモジュールを有する。支持部は間隔を空けて配置されてデッキ部と共に内部水路を規定する。構造物はまた複数の側面モジュールを含み、各側面モジュールは、デッキ部と、デッキ部の下に配置される少なくとも２つの支持部とを含み、支持部は間隔を空けて配置されてデッキ部と共に内部水路を規定する。第１のモジュールおよび側面モジュールの各デッキ部は、複数の側面モジュールの１つあるいは少なくとも１つの第１のモジュールのどちらか一方の少なくとも１つの他のデッキ部に隣接して配置される。また、少なくとも１つの第１のモジュールの支持部の第１の支持部およびカンチレバー部の第１のカンチレバー部は隣接するモジュールの支持部と共に外部水路を規定し、少なくとも１つの第１のモジュールの第２の支持部および第２のカンチレバー部は隣接するモジュールの支持部と共に別の外部水路を規定し、外部水路は少なくとも１つの第１のモジュールの内部水路と流体が流通できるように連なる。
【発明の効果】
【００１３】
本開示は、複数の態様のうちのいくつかにおいて、地表の下の水の流れを管理するためのモジュールとモジュラ構造物とを対象とする。モジュールは、より薄い部品を許容する独自の構造を有する。これにより、輸送および取扱いがより容易になるとともに、材料の使用、重量および費用が削減される。
【図面の簡単な説明】
【００１４】
【図１】地表の下の水の流れを管理するための構造物のための第１のモジュール例の上斜視図。
【図２】図１のモジュールの端面図。
【図３】フーチングの上に載っている図８に示すモジュールのようなモジュールの外形の中の補強材の例を示す上斜視図。
【図４】図１のモジュール例４個の構造物の下斜視図。
【図５】構造物の外角を形成する４個のモジュールの例を示す下斜視図。
【図６】床に載っている状態の、側面モジュールに隣接する内部モジュールの上斜視図。
【図７】反転して底面を形成している第１組のモジュールと第１組のモジュールの上に重ねられた第２組のモジュールとを含む構造物の角部の別の例を示す上斜視図。
【図８】別のモジュールの例の上斜視図。
【図９】さらに別のモジュールの例の上斜視図。
【図１０】図９のモジュールの端面図。
【図１１】さらに別のモジュールの例の分解側面図。
【図１２】図１１のモジュールの分解端面図。
【図１３】隣接するモジュールにもフーチングを提供する一体型フーチングを有する支持部を含むモジュールの例の上斜視図。
【図１４】隣接するモジュールの支持部によって各一体型フーチングが使用されている、図１３のモジュール例３個の構造物の上斜視図。
【図１５】図１４のモジュールの構造物の側面図。
【発明を実施するための形態】
【００１５】
本開示は、概して、水の流れを管理するための地下構造物用のモジュールを提供する。ある態様において、開示されるモジュールは、モジュラ構造物の構造において、高い多用途性を提供する。モジュールは、特定の適用およびその側面の境界にとって望ましい予定地または設置面積に適合するように、どのようなカスタマイズされた配置にも組み立てられてもよい。モジュラ構造物は、要望に応じて、公共設備、パイプライン、貯蔵タンク、井戸、およびその他の構造等の既存の地下障害物を回避するように設計されてもよい。水の流れを管理するための地下構造物の特定の構成で使用可能なモジュールのいくつかは、商標STORMTRAP（登録商標）の下において、イリノイ州モリスのStormTrap LLCによって販売されている。
【００１６】
モジュールは、好ましくは地中のどのような所望の深さにも設置されるように構成される。例えば、モジュールの構造物の最上部は、地表面または通行面、例えば駐車場、空港滑走路またはタールマック等を形成するように設置されてもよい。あるいは、モジュールは、地中、一層またはそれ以上下の地層に設置されてもよい。どちらの場合においても、モジュールは、土壌、車両、および／または、目的荷重に耐え得る。モジュールの例は、多数の適用に適しており、例示であり限定ではないが、芝生、公園道路、駐車場、車道、空港、線路、または、建物の床面部分等の下に位置してもよい。このように、好ましいモジュールは、水の流れの管理、より詳細には水の滞留および貯留を可能にしつつ、実質的にどのような適用にも十二分な汎用性をもたらす。
【００１７】
別の態様において、モジュールは、ここで説明される水路によって規定される内容積中の水の流れを許容する。水路は通常、デッキ部と少なくとも２つの支持部によって規定される。好ましくは、これらの水路は、モジュールによって規定される容積の比較的大部分を占める。モジュールの設計によれば、現場据え付けの際に必要な掘削、および、各モジュールによって占められる予定地または設置面積を最小限に抑えつつ、大量の内部の水流を許容できる。
【００１８】
本開示の図を参照すると、図１および２は、地面の下の水の流れを管理するための構造物で用いるモジュールの例を、１０として示す。図示されたモジュール１０は、２個の支持部１２と支持部１２の上に位置するデッキ部１４とを含む。支持部１２は、デッキ部１４の下に位置し、デッキ部１４の縦側面１６から間隔を空けて配置される。支持部１２は、デッキ部１４から延在し、図３に示されるフーチングＦのような、頑丈な土台またはフーチングの上に載る。
【００１９】
デッキ部１４は、どのような選択された形状の形をとってもよいが、好ましい構造においては、長方形のスラブとして示されている。デッキ部１４は、主要部１８と主要部１８から延在している少なくとも１つの追加部分２０とを含む。好ましくは、デッキ部は、一体的に形成される。主要部１８から延在している部分２０が支持部１２からのカンチレバー、または張り出しになるように、支持部１２もまた縦側面１６から間隔を空けて配置される。部分２０は好ましくは、設置時、隣接する構造によって支持される必要がないように形成される。支持部１２もまた、互いに間隔を空けて配置される。支持部１２は、さらに脚部２２を含んでもよい。図１および２に示される例においては、各支持部１２は、デッキ部１４の端部２４から間隔を空けて配置される２個の脚部２２を有する。しかし、各支持部１２に対して、より多数の、またはより少数の脚部２２が形成されてもよいことは理解されよう。さらに、より多数の支持部１２がデッキ部１４の下に配置されてもよい。
【００２０】
水の流れを管理するために、モジュール１０は、好ましくはモジュール１０の端部で開口している内部水路２６を規定する。内部水路２６は支持部１２とデッキ部１４の主要部１８とによって規定される。図１および２に示されるように、内部水路２６は、縦方向での水の流れを許容するために、モジュール１０の縦方向に延在する。モジュール１０は、横方向に支持水路２８を含んでもよい。図示された実施形態では、各支持部１２の脚部２２は、それらの間にある支持水路２８を規定するために、間隔を空けて配置される。内部水路２６および支持水路２８は共に、縦方向および横方向への水流を許容するように、互いに流体が流通できるように連なっている。
【００２１】
図１および２におけるモジュールの例１０の各水路２６、２８は、支持部１２の底面３０へ延在し、したがって、モジュール１０が設置されるフーチングまたは床面へ延在する。この構造によって、流体の高さに関わらず、モジュール１０の中を通る比較的無制限な流量が許容される。しかし、当然のことながら、水路の他の構成もあり得る。例えば、内部水路の片方または両方の端部は、内部水路からその方向への水の流れを止めるために、封鎖されてもよい。さらに、支持部は、横方向の水路を規定しない、一枚壁であってもよい。あるいは、水路は、床面へ延在する開口部ではなく、支持部１２の中に開いている窓を形成するなどして、支持部１２の底面２０に延在しなくてもよい。
【００２２】
水路２６、２８は、比較的無制限な流体の流れを許容することができるように、かなり広いことが望ましい。広い水路はまた、雨水の流れによって支持部１２の中に流されてくる地表の堆積物による詰まりを防止する。水路２６、２８はおおよそ同じ断面積であることが望ましいが、他の構造も可能である。内部水路２６の構造は、実質的に支持部１２の間の全ての面積を占めることが望ましい。同様に、各支持水路２８は、実質的に支持部１２の脚部２２の間の全ての面積を占め、各支持部１２は１個以上の支持水路２８を含むことが望ましい。図１および２に図示されるように、支持水路２８の好ましい形は、負荷分散を目的とした、下向きのＵ字型であるが、直角または円形等の他の形状が使用されてもよい。
【００２３】
図１に示されるように、モジュール１０は、通常２フィートから２０フィートの範囲の、好ましくは約１４フィートの、全長Ｌを有する。図２に示されるように、各モジュール１０のスパンまたは幅Ｗは２フィートから１０フィートまたはそれ以上で、好ましくは約８フィート半から９フィートである。デッキ部分１４および支持部１２の厚さＴは５インチから１２インチの範囲内またはそれ以上である。例示であり、限定ではないが、９フィート半以下の幅のデッキ部１４に対しては、７インチの厚さが適切なことが分かっている。モジュール１０の高さＨは、およそ２フィートから１２フィートの範囲内で、好ましくは約５または６フィートである。さらに、支持部１２の水路２８は、互いにおおよそ同じ断面積を有することが望ましい。各水路開口部の高さはおおよそ１フィートから５フィートの範囲内である。また水路開口部の幅は１フィートから８フィートの範囲内であり、通常約４フィートから７フィートの間で、好ましくは５フィートである。デッキ部１４の主要部１８から横方向に延在している部分２０は、ほぼ延在部の無い状態から最長約１フィート半以上まで、様々な間隔でカンチレバー形式で延在してもよい。
【００２４】
これらの独自のモジュール構造に関連する寸法によって、材料の大幅な節減、それによる重量の削減が可能となる。建設業界は、しばしば、重量制限によって材料の輸送および移動の際に制約を受ける。従って、重量の削減によって、効率が非常に良くなるという効果がある。従来技術のモジュールは、通常デッキの外縁に位置する支持部を有し、その結果、デッキ構造は、所定の横スパンを実現するために指定の厚さを有する必要がある。追加のガセットが利用されてもよいが、ここで開示されるモジュールの例は、通常はカンチレバー方式で主要部から延在するデッキ部の部分を含む。デッキ部の側面から内側に配置された少なくとも１つの支持部を使用すると、結果的に支持部の間のデッキ部のスパンが短くなり、同じ負荷に耐えられるデッキ部全体はより薄くなる。より薄いデッキ部には、より少ない材料が使用されるため、デッキの重量が削減される。同様に、デッキ部がより軽くなると、より薄いデッキ部の減少した荷重を支えるための、より小規模な支持部の使用が可能になる。これにより、より軽いデッキ部および支持部を支えるための、より小規模なフーチングの使用が可能になる。軽量化によって、モジュールの移動および運搬のための機材がより小型であってもよくなり、大きなモジュール構造の取り扱いは非常に容易になる。これにより結果的に機材および輸送費用が削減される。
【００２５】
特定の設計に応じて、ここで開示されたより薄いまたは軽いモジュールの使用のためには、モジュールの特定の部分の改造が必要となる。例えば、例示であり限定ではないが、支持部の厚さは、上から下に向かってやや先細にしてもよい。これは、支持部の上部が下部よりも厚くなっている図２で示されるモジュールの例１０で明らかである。同様に、脚部２２は、支持部のより長い縦部分に広がる上部でより幅広であってもよい。図２を参照すると、デッキ部１４は、カンチレバー部分２０が主要部１８および支持部１２から外側に向かって延在するにつれて厚みが変わることが理解されよう。このように、本開示は、重量および最終的には取り扱いおよび材料費において顕著な有利な効果を発揮する、モジュールの設計および構造の独自な改良の例を示す。
【００２６】
上述したように、モジュール１０は、好ましくは地中に、多くの場合は土壌の何層か下に配置される。従って、モジュール１０は、土壌、車両、および／または、目的荷重に耐えられる材料で構成される必要がある。好ましくは、各モジュール１０は、コンクリート、より詳細には、高い強度を持つプレキャストコンクリートで構成されるが、他のどのような適切な材料が使用されてもよい。
【００２７】
図３の別のモジュールの例１０’に見られるように、さらなる強度と構造の安定のために、モジュール１０’は、好ましくは、鋼製補強棒３２、既製の鋼製メッシュ３４または他の類似の補強材などの、埋め込み補強材を含んで形成されてもよい。図示されているモジュールの例１０’においては、支持部１２’とデッキ部１４’とは、好ましくは１つの統合体として形成されている。
【００２８】
そのような埋め込み補強材の大きさと位置の条件は、モジュール１０’が受ける荷重に左右される。特定のモジュールのための特定の補強材は、通例、モジュールの上に加えられる土壌および／または車両の荷重を支えるための十分な荷重支持強度を提供するためのコンクリートを扱う認可を受けた構造エンジニアによって設計される。補強棒またはメッシュに代えて、プレテンションまたはポストテンション鋼より線または金属またはプラスチックファイバまたはリボン等の、他の形状の補強材を用いてもよい。あるいは、モジュールは、補強、プレストレストより線を有するプレキャスト、プレストレストコンクリートである中空コア材からなってもよい。中空コア材は、多数の縦に連続した空間を有し、業界では、さらなる強度を持つことで知られている。構造物が、駐車場、街路、高速道路、他の道路または空港交通面等の通行面、またはその下に位置する場合、モジュールの構造は、米国全州道路交通運輸行政官協会（AASTHO）の規格に合致する。好ましくは、構造は、業界で周知のHS20荷重に耐えられるが、他の荷重規格が使用されてもよい。
【００２９】
構造物に取り付けられる際、支持部およびより詳細には、モジュールの脚部は、好ましくは、フーチング、パッド、または床の上に配置される。例えば、特定の構造物の設計は、図３に示されるフーチングＦのようなフーチングの使用を指定するか、または、図６に示される床Ｆ’のような床を利用してもよい。どちらの場合も、支持部の内部に追加された構造は、下層の土壌に、構造物上に負荷される垂直荷重と同様に、構造物の荷重を分配する働きをする。
【００３０】
フーチングを使用する場合、フーチングＦは、脚部の下に、並行かつ間隔を空けて配置されてもよい。フーチングＦは、コンクリートで製造されることが望ましく、プレキャストまたは現場打ちでもよい。水の全部または一部が土によって吸収されるように、フーチングの側方の間隔は骨材または濾布（図示せず）で埋められることが望ましい。骨材または布材は、好ましくは、フーチングの間に配置され、ほぼフーチングの最上面に向かって延在し、水路２６の底面の平らな層を形成する。骨材は、所望の流量で構造物の下の土壌の層に水を吸収させられる、適切な粒子の大きさのどんな従来の材料からなってもよい。さまざまな濾布もまた使用されてもよい。あるいは、フーチングＦは、床を形成する、連続する現場打ちコンクリートまたは膜で埋められてもよい。床は、モジュールの流出口を除いては、不浸透性であってもよい。さらなる例を参照して以下で説明するように、フーチングまたは床は、支持部の底面と一体に形成されてもよい。
【００３１】
地表の下の水を管理するための構造物を形成するために、多数のモジュールが互いに隣接して設置されてもよい。１つの構造物において、モジュールは、好ましくは、側面同士および／または端部同士を接する構成で設置される。モジュールの構造物は、列と行として説明できるような状態で配置されてもよい。これは、網状の構成でモジュールを連結する１つの方法である。このように、一連のモジュールは、端部同士を接する構成で構造物に設置され、第１列と呼ばれるものを形成する。第１列は、構造物の縦方向に沿って配置される。モジュールの第２列は、第１列の近傍に隣接して配置され、モジュールの列と行の配列を形成する。行は、構造物の横方向に沿って配置される。この構成によって、互いに並行な縦水路が得られる。あるいは、整列した水路を確保しつつ、例えば、煉瓦の積み上げに一般的に使用される配置等のように、モジュールをオフセットまたは交互の配置に設置することも可能である。モジュールの構造物の長さまたは幅は無制限であり、モジュールは、不規則な形状を有する構造物を形成するように据え付けられてもよい。
【００３２】
図４は、図１および２で図示されたモジュール１０を４個使用して形成された構造物例Ａを示す。４個のモジュールは、第１デッキ部１４が別のデッキ部１４に隣接するように配置される。図示された構造物Ａにおいて、デッキ部１４Ａは、第１列でデッキ部１４Ｂと端部同士を接し、第１行でデッキ部１４Ｃと側面同士を接するように配置される。同様に、デッキ部１４Ｃは、第２列でデッキ部１４Ｄと端部同士を接し、デッキ部１４Ｂはデッキ部１４Ｄと第２行で側面同士を接するように配置される。得られる構造物Ａの構造は、一般に長方形である。構造物Ａのモジュールを接続するために、隣接するモジュール表面の間に形成される接合部は通常、例えば、ビチューメンテープ、ラップ、濾布または同種のもの等の、シーラントまたはテープで密封される。この構造物Ａは、より大きな構造物の一部の例に過ぎず、一般に、異なるモジュールを含むより大きな構造物の完成品の内部に配置されることは理解されよう。そのようなモジュールのいくつかは以下で説明される。
【００３３】
図４に図示されている構成により、モジュール１０Ａおよび１０Ｂの内部水路２６は、モジュール１０Ｃおよび１０Ｄの内部水路２６に沿って、縦方向に流体が流通できるように連なっている。さらに、モジュール１０Ｂの支持部１２Ｂおよびカンチレバー部２０Ｂと、モジュール１０Ｄの支持部１２Ｄおよびカンチレバー部２０Ｄとは、外水路２６’を規定する。同様に、モジュール１０Ａの支持部１２Ａおよびカンチレバー部２０Ａ（図示せず）は、モジュール１０Ｃの支持部１２Ｃおよびカンチレバー部２０Ｃと共に、別の外水路２６’を規定する。
【００３４】
横方向の流れについては、モジュール１０Ａおよび１０Ｃの支持水路２８は、モジュール１０Ｂおよび１０Ｄの支持水路２８に沿って、横方向に流体が流通できるように連なっている。同様に、各脚部２２はデッキ部１４の各端部２４から間隔を空けて配置され、端部同士を接する配置の２つのモジュール１０の間隔を空けて配置された脚部２２によって、さらなる横方向の水路２８’が形成される。この構造物Ａの構成は、縦および横の両方向のモジュールの間の比較的無制限な水流を提供することが理解されよう。
【００３５】
構造物が流体を、滞留または少なくとも部分的に滞留するために使用される、いくつかの事例があり得る。これらの事例において、構造物は少なくとも部分的に封鎖され、閉鎖された壁を有する追加のモジュールを含んでもよい。例えば、図５に示すように、図１で示されるモジュールのような第１モジュール１０に加えて、構造物は側面モジュール１０Ｓ−１および１０Ｓ−２と、角モジュール１０Ｇとを含んでもよい。側面モジュールおよび角モジュールは図５の第１モジュールの周辺に配置され、同種の部品を指定するために同じ番号が使用されるように、同じ部品をいくつか有する。構造物の周辺においては、モジュールの他の実施例もあり得ることは理解されよう。また、いくつかの事例においては、少なくとも１つの閉鎖した壁を有するモジュールが構造物の内部に含まれてもよいことは理解されよう。図示された構造物においては、４個の構造物は、各デッキ部が少なくとも１つの他のデッキ部に隣接するように配置されている。
【００３６】
モジュラ設計のおかげで、予定地は単なる長方形に限定されない。むしろ、モジュールは、その現場の制約内で利用可能な、どのような所望の自由形状の予定地の形にも組み込まれることができる。当業者であれば、これらの４種類のモジュールが実質的にどんな所望の構成にも適合する構造物を作るために使用可能であることは理解できるであろう。
【００３７】
側面モジュール１０Ｓ−１は、図１の第１モジュール１０に多少類似する側面モジュールの一例だが、モジュールの構造物の端部を形成するためにも機能する。側面モジュール１０Ｓ−１は、デッキ部１４Ｓ−１と、デッキ部を支持しデッキ部１４Ｓ−１の側面から距離を空けて配置されている２個の支持部１２Ｓ−１とを含む。側面モジュール１０Ｓ−１はまた、デッキ部の端部の１つでデッキ部１４Ｓ−１から下方向に延在するほぼ垂直の壁である、端壁５０を含む。このように、端壁例５０は開口部を有さず、構造物の終端の境界線を規定する。端壁は、導管等の他の水管理部品と連通するための開口部を有してもよいことは理解されよう。
【００３８】
側面モジュール例１０Ｓ−１の構造により、モジュールは１つの閉鎖された縦端部を有する。デッキ部１４Ｓ−１と支持部１２Ｓ−１とは共に内部水路２６を規定する。各支持モジュール１２Ｓ−１の脚部５２は、それらの間に支持水路２８を規定するために、間隔を空けて配置される。この例では、脚部５２は、外端部で端壁５０に隣接し、反対側の内端部ではデッキ部１４Ｓ−１の端部から間隔を空けずに配置される。内部水路２６および支持水路２８は互いに流体が流通できるように連なっており、縦および横方向への水流を許容する。
【００３９】
側面モジュール１０Ｓ−２は、図１の第１モジュール１０に多少類似する側面モジュールの別の例だが、モジュールの構造物の側面を形成するためにも機能する。側面モジュール１０Ｓ−２は、デッキ部１４Ｓ−２と、デッキ部１４Ｓ−２の縦側面から間隔を空けて内側に配置された支持部１２Ｓ−２を含む。側面モジュール１０Ｓ−２はまた、デッキ部１４Ｓ−２の外側の縦側面から間隔を空けずに延在する支持部５４を含む。支持部５４は、デッキ部１４Ｓ−２の１つの側面に沿ってデッキ部から下方向に延在するほぼ垂直の壁であり、側壁を形成する。このように支持部５４は、構造物の側面の境界線を規定する開口部の無い垂直の壁であるが、側壁は、導管等の他の水管理部品と連通するための開口部を含んでもよいことは理解されよう。
【００４０】
側面モジュール例１０Ｓ−２の構造により、モジュールは、１つの閉鎖された側面を有する。デッキ部１４Ｓ−２と支持部１２Ｓ−２、５４とは、共に、内部水路２６を規定する。支持部１２Ｓ−２はまた、間隔を空けて配置され、その間に支持水路２８を規定する脚部７２を含む。内部水路２６と支持水路２８とは両方とも互いに流体が流通できるように連なっており、縦および横方向への水流を許容する。
【００４１】
側面モジュールの１０Ｓ−２の構造と寸法は、好ましくは第１モジュールについて説明されたものと同じであるが、他の変更も可能である。さらに、上述のように、端壁５０または側壁５４のような境界壁は、無孔であるように図示されているが、これらの壁は、他の流体および流体によって運ばれる個体および水の流入および流出を許容するために、１つまたは複数の流入口または流出口を必要に応じて含んでもよい。
【００４２】
角モジュール１０Ｇは、側面モジュール１０Ｓ−１の端壁５０および側面モジュール１０Ｓ−２の側壁５４の構造物境界壁に多少類似する１つの構造物境界壁を含む。このように、角モジュール１０Ｇは、１つの閉鎖した端壁６０を縦方向に有し、閉鎖した端壁６０と交差し構造物のモジュールの角を形成する１つの閉鎖した側壁６４を有する。このように、角モジュール１０Ｇの閉鎖した壁６０、６４は、構造物の外側の境界線を規定する。角モジュール１０Ｇは、好ましくは構造物の角位置に配置され、角モジュールの寸法は、例えば図１に示されるモジュール１０について説明されたように、隣接するモジュールと同様であってもよい。しかし、角モジュール１０Ｇの実際の寸法は、多様であってよく、特定の予定地の必要条件によって異なってもよいことは理解されよう。
【００４３】
側面モジュール１０Ｓ−１と同様に、角モジュール１０Ｇは、デッキ部１４Ｇと、支持部１２Ｇと、側壁を形成する支持部６４とを含む。これらの部分は、共に内部水路２６を規定する。支持部１２Ｇはまた、支持水路２８をその間に規定する、間隔を空けて配置された脚部６２を含む。この例では、第１脚部６２は、端壁６０と外端で隣接し、第２脚部６２は、反対側の内端でデッキ部１４Ｇの端部から間隔を空けずに配置されている。各角モジュールは、図１および４において前述した水路と同様に、好ましくは、少なくとも１つの内部水路２６と少なくとも１つの支持水路２８とを規定し、構造物内のモジュールの水路の間の比較的無制限な流体の流れを許容する。
【００４４】
図１に記載されたモジュールのように、角または側面モジュールにおいて、支持部は、内部にあっても、外壁として形成されても、デッキ部と同様に、全て好ましくは１つの一体部品として形成され、好ましくは、高い強度を有するプレキャストコンクリートで製造される。さらに、モジュールは、好ましくは埋め込まれた補強材で形成されてもよく、補強材としては、鉄筋、既製の鋼製メッシュまたは他の類似の補強材があり得る。上述の通り、側面モジュールおよび角モジュールの他の実施形態は、構造物を形成するために、図１に示される第１モジュールと一体化されてもよいことは理解されよう。例えば、バークハート特許に記載されている側面および角モジュールを構造物の側面および端部を形成するために使用し、ここで開示されたモジュール１０を構造物の内部で使用してもよい。あるいは、構造物は、多数の第１モジュールで構成された後、ここで開示された側面モジュールによって形成される外壁によって囲まれてもよいし、または別の構造で構成されてもよい。さらに、構造物は、バークハート特許に記載の複数の内部モジュールによって構成され、ここで開示された側面および角モジュールによって囲まれてもよい。
【００４５】
前述の通り、構造物の各モジュールは、なんらかの形のフーチングまたはパッドの上で支持されるが、下部の構造は床の形状であってもよい。一例では、図３のように、フーチングＦが配列され、モジュール１０はフーチングＦの上に配置される。あるいは、フーチングはモジュールと一体化して形成されてもよい。同様に、構造物が床の上で支持される場合は、例えば図６に示される例のように、床Ｆ’が設置され、モジュールは床Ｆ’の上に配置されることができる。あるいは、床は、一般に４辺構造を形成するように、モジュールと一体化されることができる。または、図７に示されるように、第２モジュールとかみ合うように第１モジュールを反転することによって、実現されてもよい。図５に最もよく示されているように、少なくともいくつかの支持部の底面、例えば支持部１２Ｓ−１、１２Ｓ−２、１２Ｇ等は、オフセット面を含んでもよい。図７に示すように、この構成により、一組のモジュールを反転した同種の一組のモジュールの上に重ねる場合、対応するオフセット面は、互いに嵌合し、安定して積み重ねることができるようになる。モジュールが床またはフーチングの上に設置される場合は、支持部１２によって示されるように、支持部の底面は平面であることが望ましい。
【００４６】
水流を管理するために、モジュールの構造物は、一般的に、例えば、地表面にたまっている水、または、地表面または他の高さに位置する他の貯水域からの水等、構造物の外部からモジュールの中に水が流れ込むことを許容するための１つまたは複数の流入口（図示せず）を含んでもよいことは理解されよう。流入口は、既存の下水管およびコンジットと流体が流通できるように連なることが可能なように、どの高さに位置してもよく、一般的には、地表面の下水管とそれに関連するコンジットとに流体的に連結される。流入口は、構造物内へ直接水が流入することを許容するために、好ましい現場の条件の必要によって、特別にカスタマイズされてもよい。例えば、流入口の位置は、好ましい位置が分かっている場合は、モジュールの形成の際にあらかじめ形成しておいてもよいし、設置の際に適切な工具を使用して形成してもよい。
【００４７】
流入口は、構造物のモジュールのデッキ部材に単独で設けられてもよいし、側面の流入口と組合わせて設けられてもよい。側面の流入口は、現場から離れた場所からパイプを経由して雨水を受け取るために、周囲の壁のカスタマイズされた位置および高さに設けられてもよい。いくつかのそのような流入口が設けられてもよい。また、水は構造物の中に貯蔵されるか、または、通常は流出口の形状である１つまたは複数の通路を利用して構造物から出るようにしてもよい。
【００４８】
構造物からの水流の管理は、一般に、流出口の使用を含んでもよい。したがって、流出口は、水を構造物の外、好ましくは、１つまたは複数の下記の現場から離れた場所、すなわち、河川、水処理工場、別の都市処理施設、または、水を受け取ることが可能な他の場所、に移動させるために使用される。そのような流出口は、床または構造物の周囲の壁に形成されてもよい。構造物流出口は、水を放出するための水路の壁の様々な位置および様々な高さに配置されてもよい。例であり限定ではないが、構造物の中にある雨水の流れを制限するために、流出口は好ましくは、通常流入口よりも小さく形成される。あるいは、水は、穴あき材料からなる床、または、開口部を有する不浸透性の床等の他の手段を介した吸水または浸透の過程を経て、構造物から出てもよい。
【００４９】
モジュールは頑丈な構造であると仮定すると、構造物または構造物のいくつかのモジュールは、地盤面水準で使用される上部の交通面を含むように構成されてもよい。これによって、雨水滞留／貯留水路の区域では、追加的舗装が必要とされないという経済性がもたらされる。モジュールのデッキの上部の交通面の視覚的魅力を増すために、上部面は、デッキ部の最上面に加えられる、または、モールドまたは他の工具を使用して製造時にデッキ部にエンボス加工される、建築塗装を含んでもよい。これらのエンボス加工面は、図９に示されるような様々なパターンの擬似レンガ、擬似敷石、およびグラフィックイラストを含んでもよいが、これらに限定されるものではない。また、デッキ部は、実際のレンガ、敷石、または切り石が追加的な構造強化としてデッキ部の最上面にはめ込まれるように構成されてもよい。例えば、図１のモジュールは、構造物の上部面が例えば駐車場等の通行面を形成できる高さにモジュールが設置された状態の上部面を備えてもよい。
【００５０】
図６を参照すると、構造物は、構造物内の異なる位置に代替的なモジュールを備えて形成されてもよいことは理解されよう。例えば、図６は、互いに隣接して配置され、外側の壁と内部水路とを形成する２つの代替的なモジュールを示す。特に、第１モジュール１１０は床Ｆ’の上に配置され、デッキ部１１４に接続されデッキ部１１４の下に位置する一組の支持部１１２を有することが示されている。第１モジュール１１０は、支持部１１２の上の主要部１８と、主要部１１８からカンチレバー方式で延在している第１および第２部分１２０を備える点で、図１のモジュール１０と多少類似している。支持部１１２は間隔を空けて配置され、主要部１１８の底面と共に、縦方向に内部水路１２６を形成している。しかし、モジュール１１０の各支持部１１２は、間隔を空けて配置され、その間に横方向に支持水路を形成する脚部を含まない。さらに、支持部１１２は、モジュール１１０の端部１２４から間隔を空けて配置された脚部を含まない。
【００５１】
図６において、側面モジュール１１０Ｓ−２は、床Ｆ’の上に位置し、第１モジュール１１０に隣接する。側面モジュール１１０Ｓ−２は、デッキ部１１４Ｓ−２の下に支持部１１２Ｓ−２を備え、デッキ部１１４Ｓ−２から下に延在し床Ｆ’の上に載るほぼ垂直の側壁１５４を備える点で、図５に示される側面モジュール１０Ｓ−２に多少類似している。支持部１１２Ｓ−２は側壁１５４から間隔を空けて配置され、主要部１１８Ｓ−２の底面と共に、縦方向に内部水路１２６を形成する。支持部１１２Ｓ−２はまた、デッキ部１１４Ｓ−２の縦側面から間隔を空けて配置され、主要部１１８Ｓ−２から延在するカンチレバー部１２０Ｓ−２を形成している。主要部１１８Ｓ−２から延在しているこの１２０Ｓ−２部分は、主要部１１８から延在している隣接部１２０に接する。さらに、支持部１１２Ｓ−２と１１２とは、間隔を空けて配置され、１２０Ｓ−２と１２０部分の底面と共に、縦方向に外部水路１２６’を形成する。しかし、側面モジュール１１０Ｓ−２の支持部１１２Ｓ−２は、間隔を空けて配置され、その間に横方向に支持水路を形成する脚部を含まない。第１および側面モジュールのそのような組合わせは、横方向の流れが必ずしも必要とされないモジュールの様々な位置で用いられてもよい。
【００５２】
モジュールは、さらなるモジュール例を形成するために、異なる方法で、互いに嵌合されてもよい。例えば、図７は、一般的に深さ２倍または高さ２倍の構成としてここで説明されるモジュールの別の例の開示を図示する。現場固有の高さが１０フィート以上の増加した深さを許容する場合、モジュールは、一方の上に他方を配置した２段階のモジュールで建造されてもよい。図７は、基本的に図５の構造物の反転した配置を含む様式で配置された複数の下部モジュールと、下部モジュールの上に直接配置される図５に示される構造物とを含むことを除き、図５で示された図に類似するモジュールの配置を示す。
【００５３】
深さ２倍の構成において、図７に図示される通り、デッキ部１４Ｓ−１、１４、１４Ｓ−２および１４Ｇが床を形成できるように、各下部モジュール１０Ｓ−１、１０Ｆ、１０Ｓ−２および１０Ｇは、好ましくは、通常上向きのＵ字型をとる。各上部モジュール１０Ｓ−１、１０Ｆ、１０Ｓ−２および１０Ｇは、好ましくは、通常下向きのＵ字型をとり、各々の同種の下部モジュールの上に垂直に積み重ねられる。言い換えれば、上部および下部モジュールのうちの１つは、好ましくは、他方に対して約１８０度反転させられている。上部モジュールの支持部は、下部モジュールの支持部と垂直に整列する。
【００５４】
深さ２倍の構成の配置は、好ましくは、掘削された場所に１つまたは複数の隣接する下部モジュールを配置し、その後対応する上部モジュールを下部モジュールの上に配置することを含む。これらの段階は、好ましくは、構造物全体が完成するまで繰り返されるが、他の構成および配置の方法も可能である。例えば、上部モジュールを各々の下部モジュールの上に配置する前に、１つまたは複数の列または行、または網状構造物全体の全ての下部モジュールが現場に配置されてもよい。
【００５５】
必要に応じて、上部および下部モジュールは、任意の従来の方法で互いに固定または締結されてもよい。例示であり限定ではないが、上部および下部モジュールは、嵌合オフセット面を含む連結構造によって固定されてもよい。このように、上部および下部支持部の安定性および整列を向上させるために、図５で支持部１２Ｓ−１、１２Ｓ−２および１２Ｇに示されるように、直立の位置にある場合に支持部の少なくともいくつかの底面と考えられる部分は、オフセット面を含んでもよい。この構成において、一組のモジュールを、反転した同種の一組のモジュールの上に重ねる場合、図７に示されるように、対応するオフセット面は互いに嵌合し、積み重ねを安定させる。上部および下部モジュールによって形成される水路は、したがって、深さを増したより大きい水路２６Ｄ、２６Ｄ’、２８Ｄ、２８Ｄ’の一部分を形成する。したがって、深さ２倍の構成は、さらに構造モジュールの内容積を増加させる。図示された実施例において、下部モジュール１０Ｓ−１、１０Ｆ、１０Ｓ−２および１０Ｇは、水位が水路２８および２８Ｄ’の高さに上昇する前に、水路２６Ｄおよび２６Ｄ’の間での流体の流れを可能にする開口部７０を含む。これにより、例え構造物内の水位が低くても、比較的無制限な流体の流れが許容される。
【００５６】
図７の深さ２倍の構造は、下部モジュールのデッキ部が、構造物に負荷される垂直荷重に関して、下部の土壌の上にある構造物を構造的に支持する床を提供するという有利な効果を有する。したがって、二次的な現場打ちまたはプレキャストコンクリートのフーチングまたは床は不要である。各上部および下部モジュールによって形成される水路はまた、深さを増したさらにより大きな水路の一部分を形成する。したがって、深さ２倍の構成は構造物の内容積をさらに増加させると認められる。各上部および下部モジュールの全体的な寸法の範囲はまた、前述の単一の深さのモジュールのものと類似してもよい。結果として、構造物の全体的な高さの寸法は、上部および下部モジュール両方の高さの和であり、より大きな水貯蔵容量を提供する。しかし、上部および下部モジュールの層の高さは、同じである必要はなく、互いに関連して異なってもよい。
【００５７】
図８を参照すると、さらなるモジュールの例が２１０として一般的に示されている。図示されたモジュール２１０は、２個の支持部２１２と、支持部２１２の上に位置するデッキ部２１４とを含む。図１に示された第１の例と同様に、支持部２１４はデッキ部２１４の下に位置し、デッキ部２１４の縦側面２１６から間隔を空けて内側に配置されている。支持部２１２はまた、前述の図３および６に示された例のように、デッキ部２１４から下方向に延在し、頑丈な土台またはフーチングに載るように構成される。
【００５８】
前述の例と同様に、デッキ部２１４は、どのような選択された形状をとってもよいが、好ましい構造では長方形のスラブとして示される。デッキ部２１４は、主要部２１８と、主要部２１８から延在する少なくとも１つの追加部分２２０とを含む。主要部２１８から延在する部分２２０が支持部２１２からカンチレバーまたは張り出しになるように、支持部２１２は、縦側面２１６から内側に間隔を空けて配置される。支持部２１２はまた互いに間隔を空けて配置される。支持部２１２は、脚部２２２をさらに含んでもよい。しかし、デッキ部１４の端部２４から間隔を空けて配置されている第１の例のモジュール１０の脚部２２とは異なり、図８に示される例の脚部２２２はデッキ部２１４の端部から間隔を空けて配置されていない。第１の例のモジュール１０と同様に、支持部２１２は、各々２個の脚部２２２を有するが、より多数のまたはより少数の脚部が各支持部２１２に対して構成されてもよいし、より多数の支持部２１２がデッキ部２１４の下に配置されてもよいことは理解されよう。
【００５９】
水流を管理するために、モジュール２１０は、好ましくはモジュール２１０の端部で開口する内部水路２２６を規定する。内部水路２２６は、支持部２１２とデッキ部２１４の主要部２１８とによって規定される。図８に示すように、内部水路２２６は、モジュール２１０の縦方向に延在し、縦方向の水流を許容する。モジュール２１０はまた、横方向の支持水路２２８を含む。図示された例において、脚部２２２は、間隔を空けて配置され、支持水路２２８をその間に規定する。縦方向および横方向に水流を許容するために、内部水路２２６および支持水路２２８は共に互いに流体が流通できるように連なっている。
【００６０】
図示されたように、図８のモジュールの例２１０の各水路２２６、２２８は、支持部２１２の底面２３０へと延在し、そしてモジュール２１０が載るフーチングまたは床へと延在する。この構成は、流体の水位に関わらず、モジュール２１０を通る比較的無制限な流体の流れを規定するが、モジュール２１０の端部の近傍の支持部２１２を介するより直接的な荷重を可能にする。この種の構成は、追加的なモジュール構造を形成するために端壁等の他の要素と組み合わされてもよい。
【００６１】
さらなるモジュールの例３１０は、図９および１０に図示される。図１に示されるモジュールの例１０に関して前述したように、代替的なモジュールの構造は支持部の底面へ延在していない支持水路を含んでもよい。例えば、図９に示されるように、モジュール３１０は、デッキ部３１４の下に配置される支持部３１２を含んでもよいが、１つまたは複数の支持部３１２は窓型開口部３１３を含む。このように、脚部３２２の高さの大部分はやはり間隔を空けて配置されているが、その間に支持部３１２の底面３３０へ延在する開口部を有さず、下部支持部３２３によって接続されている。この構造により、内部水路３２６が支持部３１２の間に形成され、各支持部３１２の開口部３１３を通って延在する水路３２８が形成される。この例では、設置時に模様のある上面が地表面になることを意図して、この例では、デッキ部３１４は、レンガ面を示す、模様のある上部面を含む。
【００６２】
図１０に最もよく見られるように、モジュール例３１０のデッキ部３１４は、支持部３１２の上にかぶさるように位置する主要部３１８と、主要部３１８から延在する部分３２０とを含む。支持部３１２の脚部３２２は、デッキ部３１４の端部３２４から間を空けて配置され、主要部３１８から延在する部分３２０の支持を補助するため、追加構造がガセット３２５の形をとって支持部３１２に加えられている。当然ながら、様々な形または形状のガセットが、部分３２０に対する支持を強化するために含まれてもよい。
【００６３】
分解図である図１１および１２を参照すると、図１のモジュール１０に酷似した全体的な構造を有するものとして別のモジュール例４１０が示されているが、１つの部品として一体的に成形されるのとは対照的に、分離した部品で形成されている。このように、モジュール４１０はデッキ部４１４の下に位置する支持部４１２を含む。支持部４１２はまた、分離した脚部４２２を含む。また、デッキ部が分離した部品で、支持部および脚部が一体的に形成されてもよいことは理解されよう。部品が別々に形成され、後で、例えば構造物にモジュール４１０を設置する際に、接続される必要があることを除けば、モジュール４１０によって提供される基本的な形式と水管理は、モジュール１０によって提供されるものと類似する。様々な部品の接続は、どんな適切な方法によって行われてもよく、したがって、ピン、ファスナ、接着剤および同類のものを含む。部品はまた、整列または安定性を補助するための改良構成を有してもよい。例えば、デッキ部４１４は、支持部４１２を受け入れるために、底面に沿って縦方向のキー溝を含んでもよい。
【００６４】
上述の通り、モジュールの支持部は、モジュールの荷重およびさらに追加してその上に負荷されるあらゆる荷重を分配するために、フーチング、パッドまたは床の上に載る必要がある。しかし、図１３−１５に示されるように、モジュール自体が少なくとも１つの一体的なフーチングを含んでもよい。したがって、例えば、モジュール５１０は、開口部を有する側壁の形をとる第１の支持部５１２と、第２の支持部５１２Ａとを含んでもよい。支持部５１２および５１２Ａは、デッキ部５１４の下に配置される。支持部５１２と５１２Ａとはまた、間隔を空けて配置され、デッキ部５１４の主要部５１８と共に、縦方向の水路５２６を規定する。
【００６５】
第１の支持部５１２は、デッキ部５１４の縦側面５１６に沿ってその下に位置し、脚部５２２を含む。脚部５２２は、間隔を空けて配置され、その間に横方向の水路５２８を形成する。第２の支持部５１２Ａは、デッキ部５１４の第２の縦側面５１６Ａから間隔を空けて配置され、主要部５１８から延在するカンチレバー部５２０を形成する。支持部５１２Ａの脚部５２２Ａは、間隔を空けて配置され、同種の横方向の水路５２８をその間に形成する。しかし、支持部５１２Ａはまた、脚部５２２Ａの下端部に形成された一体型フーチングＦ’を含む。いくつかの実施形態においては、モジュールの両脚部が一体型フーチング（図示せず）を含んでもよいことは理解されよう。
【００６６】
通常、モジュールの脚部は、モジュールがフーチングの上で平衡を保てるように、フーチングの中心に配置される。しかし、図１３−１５に示される一体型フーチングＦ’’は、脚部５２２Ａから延在する。この配置によって、一体型フーチングへの隣接するモジュールの比較的バランスのとれた荷重が可能となる。モジュール５１０の一体型フーチングＦ’’は、支持部５１２によって提供されるように、側壁を有する追加モジュールを使用する際に構造物に組み込まれる。したがって、図１４および１５に示される通り、モジュール５１０の側壁支持部５１２が補足的な支持部５１２Ａの一体型フーチングＦ’’の上に載るように、一連のモジュール５１０が互いに隣接して配置されてもよい。このように、フーチングは、構造物の一端で各モジュール５１０に対して必要とされるが、モジュール５１０は、一連の同様に配置されたモジュール５１０の長さ全体にわたって、必要なフーチングを提供する。したがって、１つのモジュールの一体型フーチングの上に負荷される重量は、隣接するモジュールからの重量によって相殺される。一体型フーチングＦ’’の上に隣接するモジュールの側壁支持部５１２を配置することによって、そうしなければ支持部５１２Ａによって一体型フーチングＦ’’の上に負荷されてしまう構造モーメントを排除できる。加えて、支持部５１２が一体型フーチングＦ’’の上に配置される際、支持部５１２はまた、デッキ部５１４の縦側壁５１６Ａに隣接する。この配置によって、主要部５１８から延在する部分５２０と、一体型フーチングＦ’’と、支持部５１２および５１２Ａとによって規定される追加的な縦方向の水路５２６’が形成される。様々な形の一体型フーチングが支持部と共に含まれてもよいことは理解されよう。
【００６７】
モジュールおよび下部支持面のいくつかの例の前述の説明から、方法と装置は、地表の下で、雨水等の水流を管理するため、および／または水の滞留または貯留のために提供されることが理解されよう。様々な態様において、複数の縦方向の水路および複数の横方向の水路が接続されるように、複数のモジュールを互いに隣接して配置することによって該方法を実施することが好ましい。縦方向の水路は、好ましくは各々少なくとも１つのほぼ水平のデッキ部とデッキ部の下に位置する支持部とによって規定される。構造物の外側の境界で、縦方向の水路は、デッキ部と少なくとも１つのほぼ垂直の側壁によって定義されてもよい。横方向の水路は各々、支持部の間隔を空けて配置された脚部の間の開口部等によって、好ましくは、対応するデッキの一部と対応する支持部の一部とによって規定される。
【００６８】
好ましくは、縦方向および横方向の水路は、多少類似した横断面を有し、縦方向および横方向に連続した水路を形成するために縦方向および横方向に整列するが、横断面の類似および直接整列は、特定の現場計画に対しては必須ではない。各々の縦方向および横方向の水路は、また、好ましくは隣接し、互いに流体が流通できるように連なっているが、既存のまたは計画された地下障害物によって要求されるような他の構成で配置されてもよい。さらに、両方向に比較的無制限な水の流れを許容するために、各支持部は底面を有し、縦方向および横方向の水路は支持部の底面から上方向に延在することが望ましい。しかし、図９に示されるように、モジュール全体にわたって横方向の水路を形成する開口部は、必ずしも支持部の底面へ延在しなくてもよい。
【００６９】
該方法はさらに、構造物の外周に沿って、側壁を有するモジュールを配置することによって、縦方向および横方向の水路に対する外側の境界を形成することを含む。上述した通り、外周側壁の一部は、水の受け入れまたは放出のために、１つまたは複数の構造物アクセス流入口および／または流出口を含んでもよい。
【００７０】
一態様において、該方法は、対応するデッキ部と少なくとも１つの支持部とを有する少なくとも１つの内部モジュールによって規定される縦方向および横方向の水路を接続することを含む。例えば、構造物は、図１に示されるような複数の内部モジュールを、掘削地の中で接続することを含む。モジュールを接続する段階は、デッキ部が互いに接し、各内部モジュールの個々の縦方向の水路が集合的に構造物全体にわたる連続する縦方向の水路を形成するように、好ましくは隣接するモジュールの端部を整列することを含む。好ましくは、モジュールを接続する段階はさらに、デッキ部が相互に接し、各内部モジュールの個々の横方向の水路が集合的に構造物全体にわたる連続する横方向の水路を形成するように、隣接するモジュールの側面を整列することを含む。側面モジュールは、縦端部用の構成または横側面用の構成の両方において、対応する縦方向および横方向の水路が連続する水路の追加部分を形成するように、角モジュールと同様に、整列構成で内部モジュールの外周に沿って配置されてもよい。上述した通り、側面および角モジュールを形成する支持部のほぼ垂直の壁は、構造物の外周に位置し、無孔のまたは有孔の面のどちらかを有し、流入口および流出口を規定してもよい。
【００７１】
構造物の設置のため、特定の場所が掘削され地下障害物が備えられた後、第１のモジュールが地中に配置される。第１のモジュールは、内部モジュール、側面モジュール、または角モジュールのうちのいずれか１つであってもよい。隣接するモジュールは、第１のモジュールと縦方向および横方向に整列して配置され、連続した縦方向および横方向の水路を形成する。しかし、モジュールは、横方向の水路のための整列を提供しないオフセットレンガ様式で配置されてもよいことは理解されよう。内部モジュールが構造物の内部に向かって配置されると仮定すると、側面および角モジュールは側壁、端壁および角を形成するために外周に配置され、モジュールはどんな順序でも地中に配置されることができることが理解されよう。
【００７２】
各モジュールは、端部同士、側面同士を接し、隣接して整列するように配置されるように示されているが、間隔を空けた構成で、間隔を空けて配置されたモジュールの間に接続部を渡してモジュールを配置してもよい。また、構造物アクセス流入口および流出口は、所定の場所に位置してもよいし、または、流入口および流出口が既存の地下下水管およびコンジットと確実に合致するように、設置の際に側面部分に形成されてもよい。あるいは、構造物の床が有孔である場合、例えば、床が１つまたは複数の開口部を含む場合、または、床が土壌へ水を浸透および吸収させることのできる多孔質材または骨材で形成されている場合は、流出口はなくてもよい。
【００７３】
構造物は、一般的に、１つまたは複数の流入口を通って構造物に水が流れ込み、そして、その水を一定期間貯めておくために設計される。その後、水は、１つまたは複数の流出口、多孔質材または骨材の床を通って、または、両方の併用によって、構造物から流出する。雨水等の水の流入および貯蔵の間、横方向および縦方向に整列した水路によって構造物内の比較的無制限な水流が可能となる。構造物はまた、構造物の流入口を有する部分が若干高い位置に配置され、構造物の流出口を有する部分が低い位置に配置されるように、傾斜してもよい。この構成は重力の影響の下で流れる水の流れを補助する。
【００７４】
本開示の別の態様において、該方法は、複数のモジュールを、少なくとも１つのデッキ部の最上面が露出される深さで、または、デッキ部の最上面が全く露出されない深さで、地中に設置する段階を含んでもよい。さらなる設置は、比較的より深い地中に、第１の複数のモジュールを、デッキ部が床を形成し、Ｕ字型が上向きになるように、反転した配置で設置し、その後、Ｕ字型が下向きになり、反転したモジュールの上に積み重ねられるように、第２の複数の対応するモジュールを直立の配置で設置することによって実現されてもよい。横方向および縦方向の水路は、構造物を通る比較的途切れのない流体が流通できるような連なりを確保するために整列されてもよい。あるいは、第１の一組のモジュールが１段目を形成して直立の様式で配置され、その後、第２の一組のモジュールが１段目の上に配置され、モジュールの上部の２段目を形成してもよい。
【００７５】
前述の議論から、地表の下の水の管理のための構造物の様々な適用または構成を有するまたは許容する様々な例が開示されたことが理解されよう。ここで開示された地下モジュラ構造物は、好ましい構成例を構成するが、本開示は、地下水路を形成するためのこれらのモジュール例そのものに限定されず、その中で変更がなされてもよいことが理解されよう。例えば、縦方向および横方向の水路を規定する開口部は、図示されたもの以外に、いくつかの幾何学的な形を有してもよい。モジュラ構造物のための多くの他の幾何学的構成が可能であることもまた理解されよう。さらに、現在主張された内容を実行した結果、ここで開示された全ての実現可能な有利な効果が享受されずともよいことも理解されよう。
【図１】
2013503991.tif 000003
【図２】
2013503991.tif 000004
【図３】
2013503991.tif 000005
【図４】
2013503991.tif 000006
【図５】
2013503991.tif 000007
【図６】
2013503991.tif 000008
【図７】
2013503991.tif 000009
【図８】
2013503991.tif 000010
【図９】
2013503991.tif 000011
【図１０】
2013503991.tif 000012
【図１１】
2013503991.tif 000013
【図１２】
2013503991.tif 000014
【図１３】
2013503991.tif 000015
【図１４】
2013503991.tif 000016
【図１５】
2013503991.tif 000017
【国際調査報告】
2013503991.tif 000018